(57)【要約】【課題】架線に取設される被装着対象物を被覆して保護するためのズレ防止絶縁保護シートを提供する。【解決手段】可撓性を有しかつ絶縁材からなるシート体２と、このシート体２の内部又は内側面２ｂ上に着脱可能に装着される断面コ字形の平板材からなる挟持用板バネ４と、シート体２の少なくとも四隅に取設されてシート体２を２つ折り状に保持する固定具５と、シート体２を２つ折りにした際にその内部空間を押し広げるように配設される複数対のブロック状のスペーサー６と、シート体２の折り返し部２ｃ上に取設される取っ手７とを有し、スペーサー６は、シート体２において挟持用板バネ６が配設される領域内でかつシート体２の折り返し部２ｃを除く領域に配置され、対を成すスペーサー６と対を成す他のスペーサー６の隙間によって被保護対象物１４の少なくとも一部を嵌合して収容可能であることを特徴とするズレ防止絶縁保護シート１による。【選択図】図２
2015056964.tif 000002
【特許請求の範囲】
【請求項１】
架線上に取設される被保護対象物を被覆して保護するためのズレ防止絶縁保護シートであって、
可撓性を有しかつ絶縁材からなるシート体と、このシート体の内部又は内側面上に着脱可能に装着される断面コ字形の平板材からなる挟持用板バネと、前記シート体の少なくとも四隅に取設されて前記シート体を２つ折り状に保持する固定具と、前記シート体を２つ折りにした際にその内部空間を押し広げるように配設される複数対のブロック状のスペーサーと、前記シート体の折り返し部上に取設される取っ手とを有し、
前記スペーサーは、前記シート体において前記挟持用板バネが配設される領域内でかつ前記シート体の折り返し部を除く領域に配置され、
対を成す前記スペーサーと対を成す他の前記スペーサーの隙間によって前記被保護対象物の少なくとも一部を嵌合して収容可能であることを特徴とするズレ防止絶縁保護シート。
【請求項２】
前記スペーサーの機能部位の立体外形状は三角柱状であり、
前記シート体を２つ折りにした際に、対向して配設される一対の前記スペーサーは互いに面接触することを特徴とする請求項１記載のズレ防止絶縁保護シート。
【請求項３】
前記シート体は、対向して配設される一対の縁部のいずれか一方又は両方に、前記シート体から延設されてなる挟持用突起を備えることを特徴とする請求項１又は請求項２に記載のズレ防止絶縁保護シート。
【請求項４】
前記シート体は、対向して配設される一対の縁部又はその近傍に細長平板状の構造材を備えることを特徴とする請求項１乃至請求項３のいずれか１項に記載のズレ防止絶縁保護シート。
【請求項５】
前記固定具は面ファスナであることを特徴とする請求項１乃至請求項４のいずれか１項に記載のズレ防止絶縁保護シート。
【発明の詳細な説明】
【技術分野】
【０００１】
本発明は架線に取設される、例えば、カムラーなどの被保護対象物を被覆して保護しつつ、着脱容易でかつ架線の伸長方向に位置ズレを起こさないズレ防止絶縁保護シートに関する。
【背景技術】
【０００２】
従来、架線に取設される送電設備を被覆して保護する絶縁性のカバーとして様々な形態のものが知られている。
本願発明と同じ解決すべき課題を有する発明は現時点では発見されていないが、同じ技術分野の先行技術文献としては以下に示すようなものが知られている。
例えば、特許文献１（特開２０１２−６０７０３号公報）には、保護カバーを着脱可能にするための固定構造として、面ファスナを使用するという技術内容が開示されている。
また、特許文献２（特開２０１１−１９３６４０号公報）には、取っ手（間接活線工具用バンド１８）を備えた絶縁カバーが開示されている。
さらに、特許文献３（特開平１０−２８５７３２号公報）には可撓性を有する絶縁シートからなる保護カバーが開示されている。
加えて、特許文献４（実公昭４５−１６０３０号公報）には、板バネの作用を利用して架線に対して着脱容易にした保護カバーが開示されている。
そして、特許文献５−８（特開２０１０−７４９３６号公報、登録実用新案第３１６９１３８号公報、特開２０１１−１３５６４８号公報、特開２０１１−９７７００号公報）には、保護カバーの内面に突起を設けておき、この突起と被保護対象物とにより嵌合構造を形成して保護カバーの位置ズレを防止するという技術内容が開示されている。
【先行技術文献】
【特許文献】
【０００３】
【特許文献１】特開２０１２−６０７０３号公報
【特許文献２】特開２０１１−１９３６４０号公報
【特許文献３】特開平１０−２８５７３２号公報
【特許文献４】実公昭４５−１６０３０号公報
【特許文献５】特開２０１０−７４９３６号公報
【特許文献６】登録実用新案第３１６９１３８号公報
【特許文献７】特開２０１１−１３５６４８号公報
【特許文献８】特開２０１１−９７７００号公報
【発明の概要】
【発明が解決しようとする課題】
【０００４】
上述の特許文献１−４に開示される発明の場合は、使用時にカバーが架線の伸長方向に沿って位置ズレを起こす恐れがあり、この場合、目的とする箇所に保護カバーを保持しておくことができないという課題があった。
さらに、特許文献３に開示される発明の改良型が知られており、先行技術文献としては開示されていないが、シート状の保護カバーの内部に断面コ字型の形状保持用の板バネを取り出し不可能な状態で内蔵したものがある。このような改造型の保護カバーでは、板バネで被保護対象物を挟持することで保護カバーを保持できるよう構成されている。このような改良型の保護カバーを使用する場合も保護カバーが架線の伸長方向に沿って位置ズレを起こす恐れが完全にないとは言い切れなかった。また、このような改良型の保護カバーにおいては、内蔵される板バネの屈曲部分が特に破損を起こしやすいという傾向がある。そして、シート状の保護カバー内部に内蔵された板バネが破損した場合は、シート材に特段の損傷がなくとも保護カバーを交換せざるを得ず、耐用期間が短いために不経済であった。
他方、特許文献５−８に開示される保護カバーの場合は、いずれもその内側に突起を備えて位置ズレを防止できるというメリットを有する反面、これらはいずれも被装着対象物の立体形状にフィットする形状に成形されたものである。この場合、保護カバーを製造するにあたり、成形用の金型を使用する必要があった。しかしながら、金型は高価であるため、装着時の被装着対象物の大きさが一様でない場合や、被装着対象物の使用頻度が低い場合は、その被装着対象物を保護するための保護カバーの製造コストが割高になってしまい、目的とする保護カバーを廉価に供給できないという課題があった。
【０００５】
本発明はかかる従来の事情に対処してなされたものでありその目的は、シート状の絶縁材を使用することで柔軟性を有しつつも、十分な形状保持性も備えており、保護カバーの着脱及び固定が容易で、使用時に位置ズレや外れを起こす恐れがなく、しかも、破損し易いパーツを容易に交換することができ、さらに、被装着対象物の形態が多様であってもそれぞれの形態に確実にフィットする形態のものを容易に作製でき、しかも、その製造コストを廉価にできるズレ防止絶縁保護シートを提供することにある。
【課題を解決するための手段】
【０００６】
上記目的を達成するため請求項１記載の発明であるズレ防止絶縁保護シートは、架線上に取設される被保護対象物を被覆して保護するためのズレ防止絶縁保護シートであって、可撓性を有しかつ絶縁材からなるシート体と、このシート体の内部又は内側面上に着脱可能に装着される断面コ字形の平板材からなる挟持用板バネと、シート体の少なくとも四隅に取設されてシート体を２つ折り状に保持する固定具と、シート体を２つ折りにした際にその内部空間を押し広げるように配設される複数対のブロック状のスペーサーと、シート体の折り返し部上に取設される取っ手とを有し、スペーサーは、シート体において挟持用板バネが配設される領域内でかつシート体の折り返し部を除く領域に配置され、対を成すスペーサーと対を成す他のスペーサーの隙間によって被保護対象物の少なくとも一部を嵌合して収容可能であることを特徴とするものである。
上記構成の請求項１記載の発明において、シート体は架線に取設される被保護対象物を被覆して絶縁状態を保ちながら保護するという作用を有する。また、絶縁材として可撓性を有するシート体を用いることで、形状や寸法が様々な被装着対象物に対して、シート体の大きさを変更するだけそれぞれの被装着対象物を被覆可能にするという作用を有する。また、挟持用板バネは、シート体に取設されることでシート体に形状保持性を付与しつつ、被装着対象物を挟持するように作用して被装着対象物からシート体の外れを好適に防止するという作用を有する。さらに、挟持用板バネをシート体に対して着脱可能に取設することで、挟持用板バネが破損した際に容易に交換可能にするという作用を有する。そして、固定具はシート体を２つ折りにした状態で、互いに対向して配置されるシート体の少なくとも角部を着脱可能に固定するという作用を有する。また、スペーサーは、挟持用板バネにおいて対向して配置される一対の平板部を押し広げて被装着対象物を収容するための中空部を形成するという作用を有する。加えて、少なくとも２対のスペーサーは、被保護対象物と嵌合構造を形成して、請求項１に記載の発明を装着した際に、架線の伸長方向にシート体が位置ズレを起こすのを妨げるという作用を有する。さらに、スペーサーを、シート体において挟持用板バネが配設される領域内でかつシート体の折り返し部を除く領域に配置しておくことで、挟持用板バネの弾性力を利用して対を成すスペーサーを互いに近づけるように力を作用さて、挟持用板バネとスペーサーとが共同してクリップのように機能する。この結果、被装着対象物にシート体をしっかりと固定させるという作用を有する。加えて、請求項１記載の発明における被装着対象物とスペーサーとの嵌合構造は、シート体にブロック状のスペーサーを固設するだけで形成可能である。このことはすなわち、スペーサーの取付け位置を変更するだけで、様々な形態の被装着対象物にフィットした請求項１記載の発明を提供できることを意味しており、請求項１記載の発明の汎用性を高めるという作用を有する。
【０００７】
請求項２記載の発明であるズレ防止絶縁保護シートは、請求項１記載のズレ防止絶縁保護シートであって、スペーサーの機能部位の立体外形状は三角柱状であり、シート体を２つ折りにした際に、対向して配設される一対のスペーサーは互いに面接触することを特徴とするものである。
上記構成の請求項２に記載の発明は、請求項１記載の発明と同じ作用に加えて、スペーサーの機能部位（スペーサーの中空部を含む概念である）の立体外形状を三角柱状とし、かつ、シート体を２つ折りにした際に、対向して配設される一対のスペーサーが互いに面接触するよう配設されることで、シート体の中空部内におけるスペーサーの占有エリアを小さくするという作用を有する。
また、スペーサーの機能部位の立体外形状を三角柱状にすることで、使用後に請求項２に記載の発明を取り外す際に、間接工具の先端に取っ手を係止させた状態で請求項２に記載の発明を鉛直上方に引き上げることで、被装着対象物によりスペーサーを押し下げ、これに伴ってスペーサーにより挟持用板バネの平板部を押し広げ、最終的に、被装着対象物からの請求項２に記載の発明の取り外しを可能にするという作用を有する。
【０００８】
請求項３記載の発明であるズレ防止絶縁保護シートは、請求項１又は請求項２に記載のズレ防止絶縁保護シートであって、シート体は、対向して配設される一対の縁部のいずれか一方又は両方に、シート体から延設されてなる挟持用突起を備えることを特徴とするものである。
上記構成の請求項３に記載の発明は、請求項１又は請求項２に記載の発明と同じ作用に加えて、挟持用突起を備えることで、請求項３記載の発明の装着時又は取り外し時に、ホットステック等の間接活線工具を使用して２つ折り状態となっているシート体の片面側をめくり上げる動作を容易に行えるようにするという作用を有する。
【０００９】
請求項４記載の発明であるズレ防止絶縁保護シートは、請求項１乃至請求項３のいずれか１項に記載のズレ防止絶縁保護シートであって、シート体は、対向して配設される一対の縁部又はその近傍に細長平板状の構造材を備えることを特徴とするものである。
上記構成の請求項４に記載の発明は、請求項１乃至請求項３のそれぞれに記載の発明と同じ作用に加えて、構造材を備えることで、シート体において対向して配設される一対の縁部又はその近傍における剛性を高めるという作用を有する。
この場合、２つ折り状態のシート体を被装着対象物に被せた際に、シート体の角部同士が互いに対向している状態が確実に実現される。
これにより、互いに対向して配設されるシート体の角部の固定具による固定又はその解除を容易にするという作用を有する。
すなわち、被装着対象への請求項４に記載の発明の着脱作業を容易にするという作用を有する。
【００１０】
請求項５記載の発明であるズレ防止絶縁保護シートは、請求項１乃至請求項４のいずれか１項に記載のズレ防止絶縁保護シートであって、固定具は面ファスナであることを特徴とするものである。
上記構成の請求項５に記載の発明は、請求項１乃至請求項４のそれぞれに記載の発明と同じ作用に加えて、固定具を面ファスナとすることで、押付ける又は引離す動作を行うだけで固定具が取設される部位の固定とその解除を行うことを可能にするという作用を有する。この場合、ホットステック等の間接活線工具を使用する際に、固定具による固定とその解除を容易にするという作用を有する。
【発明の効果】
【００１１】
本発明の請求項１記載の発明によれば、シート体において板バネが配置される領域内でかつシート体の折り返し部を除く領域にスペーサーが配置されることで、挟持用板バネの弾性力を利用して、対向して配設される一対のスペーサーを互いに近づけるように力を作用させておくことができる。これにより、請求項１記載の発明では、挟持用板バネとスペーサーとが協働してクリップのような役割を果たすので、装着時のシート体の外れや位置ズレを好適に防止することができる。
請求項１記載の発明では挟持用板バネの屈曲部が疲労を起こして特に破損し易い傾向がある。請求項１記載の発明では、挟持用板バネを着脱可能に備えていることで、挟持用板バネが破損した場合はもとより、使用に伴う疲労により挟持用板バネが十分な弾性力を発揮しなくなった場合に、交換することが可能になる。この結果、請求項１記載の発明の耐用期間を長くできるという効果を有する。
また、請求項１記載の発明では可撓性を有するシート材を使用することで柔軟性を付与しつつ、その中央部に挟持用板バネを備えることでシート材に形状保持性を付与することができる。これにより、請求項１記載の発明を着脱する際にシート体を所望形状に維持しておくことができるので、シート体の取り扱いを容易にできる。つまり、シート材が挟持用板バネを備えていることで、取っ手に間接活線工具を係止して吊り下げ保持した際に、シート体が自重により折れ曲がったり、ダレたりする恐れがない。このため、請求項１記載の発明の着脱時に、取っ手に係止される間接活線工具以外の別の間接活線工具によりシート体を保持しておく必要がなくなり、結果として、請求項１記載の発明の着脱作業の作業性を向上できる。
さらに、請求項１に記載の発明においては、シート体におけるスペーサーの取付け位置を変えて提供することで、形態の異なる他の被装着対象物にフィットしたズレ防止絶縁保護シートとすることができる。つまり、被装着対象物の形態が多様であってもスペーサーの取設位置を変更するだけでそれぞれの形態にフィットしたズレ防止絶縁保護シートを容易に作製できる。この場合、多様な形態の被装着対象物のそれぞれにフィットするズレ防止絶縁保護シートを製造する場合でも、高価な金型は必要ないので、その分製造コストを廉価にできるというメリットも有している。
【００１２】
請求項２記載の発明は、請求項１記載の発明と同じ効果に加えて、シート体の中空部側に比較的大きなスペーサーを取設することが可能になる。この結果、被装着対象物とスペーサーによる嵌合構造を強固にできるので、被装着対象物から請求項２記載の発明が外れたり位置ズレを起こすのを一層確実に防止できる。
さらに、使用済のシート体を取り外す際は、固定具によるシート体の角部の固定状態を解除した後、取っ手に間接活線工具を係止して鉛直上方に引き上げるだけで、挟持用板バネの平板部がスペーサーと被装着対象物の接触に伴って押し広げられることにより、スペーサーの鉛直上方側の中空部に収容される架線及び被装着対象物をスムースに離脱させることができる。従って、請求項２記載の発明によれば、被装着対象物からの請求項２に記載の発明の取り外しを容易にできる。
【００１３】
請求項３記載の発明は、請求項１又は請求項２に記載の発明と同じ効果に加えて、挟持用突起を備えることで、例えば、ホットステック等の間接活線工具によりシート体の縁部の挟持動作が容易になる。
この結果、請求項３記載の発明の着脱時に、シート体をめくり上げる動作を容易に行うことができるので、着脱作業時の作業性を向上できる。
【００１４】
請求項４記載の発明は、請求項１乃至請求項３のそれぞれに記載の発明と同じ効果に加えて、シート体が構造材を備えることでシート体の縁部又はその近傍における形状保持性を高めることができる。
この場合、シート体を２つ折り状態にして取っ手に間接活線工具を係止して吊り下げた際に、シート体の角部同士を確実に互いに対向させた状態で配置することができる。この結果、固定具による固定作業及びその解除作業を行うことが容易になり、請求項４記載の発明の着脱作業を一層容易にできる。
【００１５】
請求項５記載の発明は、請求項１乃至請求項４のそれぞれに記載の発明と同じ効果に加えて、固定具を面ファスナとすることで、固定具同士を押し付ける又は引離す動作を行うことで、固定具による固定とその解除を行うことが可能になる。
このような固定具同士を押し付ける又は引離す動作は間接活線工具を用いて容易に行えるので、請求項５記載の発明の着脱作業時の作業性を向上することができる。
【図面の簡単な説明】
【００１６】
【図１】（ａ）本発明の実施の形態に係るズレ防止絶縁保護シートの外面側の展開図であり、（ｂ）本発明の実施の形態に係るズレ防止絶縁保護シートの内面側の展開図である。
【図２】本発明の実施の形態に係るズレ防止絶縁保護シートの概念図である。
【図３】本発明の実施の形態に係るズレ防止絶縁保護シートを構成する挟持用板バネの概念図である。
【図４】本発明の実施の形態に係るズレ防止絶縁保護シートの一部を切り欠いた斜視図である。
【図５】本発明の実施の形態に係るズレ防止絶縁保護シートの断面図である。
【図６】本発明の実施の形態に係るズレ防止絶縁保護シートの使用状態の一例を示す部分斜視図である。
【発明を実施するための形態】
【００１７】
本発明の実施の形態に係るズレ防止絶縁保護シートについて図１乃至図６を参照しながら説明する。
【００１８】
本発明の実施の形態に係るズレ防止絶縁保護シートの形態について図１乃至図５を参照しながら詳細に説明する。
図１（ａ）本発明の実施の形態に係るズレ防止絶縁保護シートの外面側の展開図であり、（ｂ）本発明の実施の形態に係るズレ防止絶縁保護シートの内面側の展開図である。また、図２は本発明の実施の形態に係るズレ防止絶縁保護シートの概念図である。
本実施の形態に係るズレ防止絶縁保護シート１は、図１に示すように、可撓性を有しかつ絶縁材からなるシート体２と、このシート体２の内側面２ｂ上に取設されるポケット３に挿脱可能に収容される挟持用板バネ４と、シート体２の少なくとも４つの角部２ｄに取設されて、シート体２を図２に示すような２つ折り状に保持するための、例えば、面ファスナ等からなる固定具５と、シート体２を２つ折りにした際にその内部空間を押し広げるように配設される複数対のブロック状のスペーサー６と、シート体２の折り返し部２ｃの外側面２ａに取設される取っ手７とにより構成されるものである。
また、本実施の形態に係るズレ防止絶縁保護シート１においてスペーサー６は、シート体２において挟持用板バネ４が配設される領域でかつシート体２における折り返し部２ｃを除く領域に配設されるものである。なお、この理由については後段において詳細に説明する。
加えて、本実施の形態に係るズレ防止絶縁保護シート１では、後段において図６を参照しながら詳細に説明するが、対を成すスペーサー６と、対を成す他のスペーサー６の隙間Ｐに、架線に取設される被装着対象物の少なくとも一部を収容可能に構成されており、これにより被装着対象物とスペーサー６とにより嵌合構造が形成されるよう構成されている。より具体的には、ズレ防止絶縁保護シート１において対を成すスペーサー６と、対を成す他のスペーサー６の隙間Ｐを、この隙間Ｐに収容しようとする被装着対象物の架線方向の幅と同一、又は、この隙間Ｐに収容しようとする被装着対象物の架線方向における幅にクリアランスを加えたもの、としておくとよい（図１，２を参照）。
【００１９】
なお、本実施の形態においてはシート体２の平面形状が矩形状である場合を例に挙げて説明しているが、シート体２の平面形状は折り返し部２ｃを基軸にして線対称を成す平面形状であり、かつ、被装着対象物を余すことなく被覆できる形状であるならばどのような平面形状でもよい。
また、シート体２の平面形状を上述のように規定する場合は、シート体２が必ずしも角部２ｄを備えない場合も想定される（例えば、円形など）。この場合は、ズレ防止絶縁保護シート１を使用する際に、風などでシート体２がめくれて外れてしまうのを防止するために、シート体２の縁部２ｅの所望個所に固定具５を取設しておくとよい。
さらに、本実施の形態に係るズレ防止絶縁保護シート１では、シート体２の内側面２ｂ状にポケット３を設けてこのポケット３に挟持用板バネ４を挿脱可能に収容する場合を例に挙げて説明しているが、シート体２を積層体構造とし、その層間に挟持用板バネ４を挿脱可能に収容できるよう構成してもよい。
加えて、本実施の形態に係るズレ防止絶縁保護シート１では、固定具５として面ファスナを使用する場合を例に挙げて説明しているが、固定具５は必ずしも面ファスナでなくともよい。固定具５は、例えば、ホットステック等の間接活線工具を使用して容易に着脱操作できるものであれば、どのようなものでも使用可能である。面ファスナ以外の固定具５の例としては、マグネットや粘着材、スナップ等を使用することができる。
【００２０】
さらに、本実施の形態に係るズレ防止絶縁保護シート１では、シート体２を２つ折り状にした際に、互いに対向して配置される角部２ｄ同士を固定する面ファスナメス５ａ及び面ファスナオス５ｂとは別に、シート体２の角部２ｄや縁部２ｅに折り返し部１１を設けておき、互いに対向して配置される角部２ｄ同士や縁部２ｅ同士を面接触させて固定具５により固定した後、さらに、重なり合った角部２ｄや縁部２ｅを折り返し部１１で挟み込むようにして固定できるよう構成してもよい。
より具体的には、シート体２の角部２ｄや縁部２ｅにおいてシート体２から延設されてなる折り返し部１１を、図２中において符号Ｑで示す方向に回動可能に構成しておき、さらに、折り返し部１１の内側面２ｂ側には面ファスナオス５ｂを、折り返し部１１を回動させて折り曲げた際に折り返し部１１の面ファスナオス５ｂと面接触するシート体２の外側面２ａ側には面ファスナメス５ａを、それぞれ取設しておき、折り返し部１１によってもシート体２の角部２ｄや縁部２ｅを固定可能に構成してもよい。
なお、折り返し部１１はシート体２の角部２ｄのみ又は縁部２ｅのみに設けてもよいし、角部２ｄ及び縁部２ｅの両方に設けてもよい。
この場合、シート体２の角部２ｄや縁部２ｅを折り返し部１１を用いることなく固定する場合に比べて強固に固定することができる。より具体的には、使用中に強風などにより被装着対象物に装着したズレ防止絶縁保護シート１が外れるのを好適に防止することができる。
なお、折り返し部１１の折り返し又は剥離作業を容易にするために、折り返し部１１の先端部に固定具５（例えば、面ファスナメス５ａ，面ファスナオス５ｂ）が設けられないつまみ１２を設けておくとよい。
さらに、シート体２の角部２ｄや縁部２ｅの互いに対向する位置に固定具５を設けることなく、折り返し部１１のみを利用して固定してもよい。この場合、折り返し部１１による固定にやや手間がかかると考えられる反面、シート体２の中空部を広くできるというメリットがある。また、折り返し部１１の固定手段としては図示されるような面ファスナに特定される必要はなく、先に例示したような他の固定具を使用してもよい。
【００２１】
加えて、本実施の形態に係るズレ防止絶縁保護シート１は、シート体２の縁部２ｅ又はその近傍に細長平板状の構造材９を備えていてもよい。
なお、この構造材９は挟持用板バネ４と比較して、疲労を起こす等により破損する恐れは低いので、シート体２の表面又は内部に一体に固設してもよいし、図１，２に示すように、シート体２の内側面２ｂに開口部を有さない袋状の構造材保持部１０を設けてその内部にシート体２とは別体の構造材９を収容してもよい。
上述のような構造材９をシート体２の縁部２ｅに備えることで、縁部２ｅ及びその近傍の形状保持性を高めることができる。
この場合、シート体２を２つ折り状に保持する際に、シート体２の角部２ｄ同士や縁部２ｅ同士を対向させて配置するのを容易かつ確実にできる。この結果、固定具５による固定作業をスムースに行うことができる。
【００２２】
ここで本実施の形態に係るズレ防止絶縁保護シート１の構造について図３乃至図５を参照しながらさらに詳細に説明する。
図３は本発明の実施の形態に係るズレ防止絶縁保護シートを構成する挟持用板バネの概念図である。また、図４は本発明の実施の形態に係るズレ防止絶縁保護シートの一部を切り欠いた斜視図である。さらに、図５は本発明の実施の形態に係るズレ防止絶縁保護シートの断面図である。なお、図１又は図２に記載されたものと同一部分については同一符号を付し、その構成についての説明は省略する。
シート体２の内側面２ｂ側に設けられるポケット３には図３に示すような挟持用板バネ４が収容されている。このような挟持用板バネ４としては、例えば、図３に示すように、合成樹脂製の平板材を折曲して断面コ字型に成形したものを用いることができる。そして、このような挟持用板バネ４がシート体２のポケット３に収容されている場合、挟持用板バネ４の折り返し部４ａ上（シート体２の折り返し部２ｃ上）に取っ手７が、平板部４ｃの内面側（シート体２の内側面２ｂ）にスペーサー６がそれぞれ配設されることになる。
このような挟持用板バネ４は、屈曲部４ｂが特に疲労により破損し易い傾向がある。このような事情に鑑み、本実施の形態に係るズレ防止絶縁保護シート１では、挟持用板バネ４を着脱自在に備える構成としているのである。この場合、挟持用板バネ４の屈曲部４ｂが疲労により軟化したり、破損した場合に、新たな挟持用板バネ４に交換することができるので、本実施の形態に係るズレ防止絶縁保護シート１を使用し続けることができる。すなわち、本実施の形態に係るズレ防止絶縁保護シート１の耐用期間を長くできる。
【００２３】
図４，５に示すように、本実施の形態に係るズレ防止絶縁保護シート１においてスペーサー６は、シート体２を２つ折り状にした際の内側面２ｂ側に突設されている。
また、図４，５に示すように、スペーサー６をシート体２において挟持用板バネ４が配設される領域に配設することで、すなわち、挟持用板バネ４が収容されるポケット３上にスペーサー６を取設することで、挟持用板バネ４の弾性力により、対向して配置される一対のスペーサー６を互いに近づけるように力を作用させておくことができる。つまり、挟持用板バネ４とスペーサー６とが協働してシート体２が自体がクリップのように機能することで、本実施の形態に係るズレ防止絶縁保護シート１の使用時に、シート体２が位置ズレを起こすのを防止できる。
【００２４】
さらに、本実施の形態に係るズレ防止絶縁保護シート１では、図４，５に示すように、スペーサー６の接合部６ｂを除く機能部位６ａの立体形状（この立体形状はスペーサー６により形成される中空部をも含む概念である）を三角柱状にしておくとよい。
この場合、図５に示すように、シート体２を２つ折り状にした際に、シート体２の中空部内においてスペーサー６により占有される領域を小さくできる。
つまり、対向して配置される一対のスペーサー６の立体形状をコンパクトにできるので、スペーサー６を配設可能なスペースが小さくてもスペーサー６を確実に配設することが可能になる。しかも、この場合、個々のスペーサー６として十分な大きさのものを使用できるので、スペーサー６の剛性及び強度を高めることができる。
これにより被装着対象物とスペーサー６とにより強固な嵌合構造を形成することが可能になり、本実施の形態に係るズレ防止絶縁保護シート１の位置ズレ及び外れを好適に防止することができるのである。
なお、本実施の形態に係るズレ防止絶縁保護シート１においては、同じ大きさのスペーサー６を取設する場合を例に挙げて説明しているが、図５に示す断面図の水平方向におけるスペーサー６の高さを一定にするのであれば、スペーサー６の軸方向における長さを１種類に特定する必要は特になく、所望の長さに設定してよい。
【００２５】
以下に、図６を参照しながら本実施の形態に係るズレ防止絶縁保護シート１の使用状態及び使用方法について説明する。
図６は本発明の実施の形態に係るズレ防止絶縁保護シートの使用状態の一例を示す部分斜視図である。なお、図１乃至図５に記載されたものと同一部分については同一符号を付し、その構成についての説明は省略する。なお、図６はシート体２の中空部内の様子が理解されやすいように、先の図２に示す本実施の形態に係るズレ防止絶縁保護シート１の斜視図における、紙面手前側に配置されるシート体２の半分を切り取った状態を示したものである。
図６は、架線１３に取設される被装着対象物１４の一例のカムラーを、本実施の形態に係るズレ防止絶縁保護シート１で被覆して保護する様子を示している。
本実施の形態に係るズレ防止絶縁保護シート１により被装着対象物１４を保護する場合は、シート体２の中空部内に配設される一対のスペーサー６（図６では片方のみが示されている）と、他の一対のスペーサー６（図６では片方のみが示されている）との隙間（図１，２，４における隙間Ｐ）に、被装着対象物１４の一部（嵌合部１４ａ）を収容して、スペーサー６と被装着対象物１４（嵌合部１４ａ）とにより嵌合構造を形成することでシート体２の位置ズレを防止している。すなわち、シート体２が架線１３の伸長方向に位置ズレを起こすのを確実に防止できる。
また、本実施の形態に係るズレ防止絶縁保護シート１では、先にも述べたように挟持用板バネ４の弾性力により、対を成す一対のスペーサー６，６に対してそれぞれを互いに近づけるような力が作用している。このため、シート体２の装着時に、２つ折り状態のシート体２において互いに対向して配設される縁部２ｅは広がり難くなる。すなわち、シート体２の装着時におけるスペーサー６の位置が、挟持用板バネ４の弾性力、並びに、被装着対象物１４とスペーサー６との嵌合構造によって好適に保持されることで、ズレ防止絶縁保護シート１が位置ズレが起きたり外れるのを好適に防止することができる。
【００２６】
最後に図２，６を参照しながら本実施の形態に係るズレ防止絶縁保護シート１の着脱方法について説明する。
本実施の形態に係るズレ防止絶縁保護シート１の装着に先立って、被装着対象物１４と嵌合構造を形成することができる位置にスペーサー６を固設したズレ防止絶縁保護シート１を作製しておく。
そして、上述のような本実施の形態に係るズレ防止絶縁保護シート１を架線１３に取設される被装着対象物１４に装着する際には、図２，６に示す取っ手７に、例えば、ホットステック等の間接活線工具の先端を係止して、この間接活線工具によりズレ防止絶縁保護シート１を吊り下げ保持する。この時、本実施の形態に係るズレ防止絶縁保護シート１におけるシート体２が挟持用板バネ４を備えていることで、シート体２はダレ等を起こすことなく２つ折り状態が維持される。
次に、この状態でシート体２の縁部２ｅ又は縁部２ｅに延設される挟持用突起８を、他の間接活線工具（例えば、ホットステック等）で挟持して、２つ折り状態のシート体の片面をめくり上げて、図６に示すように、シート体２の中空部内において架線１３の伸長方向と平行に配設されるスペーサー６，６の隙間（図１，２，４における隙間Ｐ）に、被装着対象物１４の一部（嵌合部１４ａ）を収容するとともに、スペーサー６の上面とシート体２の折り返し部２ｃとの間に形成される空隙には架線１３を収容する。
【００２７】
この後、他の間接活線工具（例えば、ホットステック等）によりめくり上げていたシート体２を元の位置に戻して、被装着対象物１４を本実施の形態に係るズレ防止絶縁保護シート１のシート体２（挟持用板バネ４）により挟持する。
さらに、他の間接活線工具（例えば、ホットステック等）を用いて、互いに対向して配置されているシート体２の角部２ｄ及び縁部２ｅを重ね合せて接触させて固定具５（例えば、面ファスナメス５ａ及び面ファスナオス５ｂ）によりこれらを固定する。
この時、シート体２の縁部２ｅが構造材９を備えている場合は、シート体２の縁部２ｅに特にダレが生じないので、その角部２ｄ及び縁部２ｅを位置ズレさせることなく互いに対向させた状態にすることができ、これにより、固定具５による角部２ｄや縁部２ｅの固定をスムースかつ確実に行うことができる。
さらに、シート体２が折り返し部１１を備えている場合は、重ね合された状態で固定された角部２ｄ及び縁部２ｅ上に折り返し部１１を折り重ねて、折り返し部１１に設けられる固定具５（例えば、面ファスナメス５ａ及び面ファスナオス５ｂ）により固定すればよい。
このような本実施の形態に係るズレ防止絶縁保護シート１によれば、被装着対象物１４が挟持用板バネ４により挟持されることに加えて、被装着対象物１４（嵌合部１４ａ）とスペーサー６との嵌合構造が形成されることによっても、さらに、シート体２の角部２ｄや縁部２ｅが固定具５により固定されることによっても、しっかりと固定される。
【００２８】
他方、本実施の形態に係るズレ防止絶縁保護シート１を被装着対象物１４から取り外すには、上述の手順の逆を行えばよい。
あるいは、さらに簡易な取り外し方法としては、シート体２の角部２ｄ及び縁部２ｅを固定する固定具５の固定状態を解除した後、例えば、ホットステック等の間接活栓工具の先端を取っ手７に係止して、この状態でズレ防止絶縁保護シート１を鉛直上方にゆっくりと引き上げることによっても本実施の形態に係るズレ防止絶縁保護シート１を取り外すことができる。
より具体的には、シート体２において互いに対向して配される角部２ｄ及び縁部２ｅをそれぞれ離間させた後、取っ手７に、例えば、ホットステック等の間接活栓工具の先端を係止してゆっくりと鉛直上方側に引き上げると、シート体２の中空部内に突設されるスペーサー６の上面に架線１３により鉛直下方に押し下げるような力が作用し、これに伴い、図５の断面図に示すスペーサー６の上面には、図中の符号Ｒで示す方向の押圧力が作用する。
この時、図５中の鉛直上方側に配置されるスペーサー６により、その鉛直下方側に配置されて面接触している他のスペーサー６が押し下げられるとともに、この動作に伴って、挟持用板バネ４の平板部４ｃ，４ｃに対してこれらを押し広げるような力が作用することで、対を成すスペーサー６，６は互いに離間してゆく。そして、この動作に伴って、押し広げられたスペーサー６，６の隙間から架線１３が解放されることで、架線１３及びそれに取設される被装着対象物１４から本実施の形態に係るズレ防止絶縁保護シート１を取り外すことができる。
このように、本実施の形態に係るズレ防止絶縁保護シート１では、装着時よりもより手間をかけることなくズレ防止絶縁保護シート１を取り外すことができる。
【００２９】
このような本実施の形態に係るズレ防止絶縁保護シート１によれば、シート体２におけるスペーサー６の取設位置を変更することで（ただし、スペーサー６を取設する位置は、シート体２おいて挟持用板バネ４が配設される領域を超えない）、様々な形態の被装着対象物１４に対応したズレ防止絶縁保護シート１を容易に製造しかつ提供することができる。しかも、特定の被装着対象物１４に装着させることができるようにズレ防止絶縁保護シート１をカスタマイズするにあたり、高価な金型等を準備する必要は一切ないので、特殊で使用頻度の少ない被装着対象物１４を保護するためのズレ防止絶縁保護シート１を廉価に製造して提供することができる。
よって、本実施の形態に係るズレ防止絶縁保護シート１によれば、取り扱いが容易でかつ破損しやすい部品を容易に交換することができ、様々な形態を有する被装着対象物１４に応じたカスタマイズが容易であり、しかも、位置ズレや外れを好適に防止することができる絶縁保護シートを廉価に提供できるという独自の効果を有している。
なお、本実施の形態に係るズレ防止絶縁保護シート１を使用可能な被装着対象物１４としては、上述のカムラー以外にも、例えば、架線１３に取設される高圧引下線コネクタカバー、高圧分岐スリーブカバー、間接対応型の高圧分岐カバーなどがある。
【産業上の利用可能性】
【００３０】
以上説明したように本発明は、架線に取設される被装着対象物を被覆して保護するためのズレ防止絶縁保護シートであり、電力設備に関する技術分野において利用可能である。
【符号の説明】
【００３１】
１…ズレ防止絶縁保護シート  ２…シート体  ２ａ…外側面  ２ｂ…内側面  ２ｃ…折り返し部  ２ｄ…角部  ２ｅ…縁部  ３…ポケット  ４…挟持用板バネ  ４ａ…折り返し部  ４ｂ…屈曲部  ４ｃ…平板部  ５…固定具  ５ａ…面ファスナメス  ５ｂ…面ファスナオス  ６…スペーサー  ６ａ…機能部位  ６ｂ…接合部  ７…取っ手  ８…挟持用突起  ９…構造材  １０…構造材保持部  １１…折り返し部  １２…つまみ  １３…架線  １４…被装着対象物（カムラー）  １４ａ…嵌合部  隙間…Ｐ
【図１】
2015056964.tif 000003
【図２】
2015056964.tif 000004
【図３】
2015056964.tif 000005
【図４】
2015056964.tif 000006
【図５】
2015056964.tif 000007
【図６】
2015056964.tif 000008